(57)【要約】【課題】  ディスプレイパネルの全自動の快速な開放機能と内蔵式収納機能を提供する機械式開閉液晶ディスプレイの提供。【解決手段】  ケース内に伸縮シートが設けられ、その一側に係止機構が設けられ、該伸縮シートの前側にディスプレイパネル載置機構が枢設され、ディスプレイパネル載置機構内に下折式調整装置が収容され、並びに伸縮シートの前側に接続され、機械式作動により、高価は電子回路による制御によらず、ディスプレイパネルの全自動の快速な開放機能と内蔵式収納機能を提供し、並びに使用者の必要に応じてディスプレイパネルの角度を調整及び記憶できる機能を提供する。【選択図】        図１
0003105718.tif 000002
【実用新案登録請求の範囲】
【請求項１】
ケース、伸縮シート、ディスプレイパネル載置機構、下折式調整装置で組成され、
該ケースは、中空で窓を具えたケースとされ、その両側に相互に対応する第１案内機構と第２案内機構が設けられて伸縮シートの内縮と伸出動作を限位し、
該伸縮シートは、前側が該ディスプレイパネル載置機構に枢設されて該ケースの第１、第２案内機構に組付けられ、
該係止機構は、伸縮シートの一側に設けられ、該ディスプレイパネル載置機構の折り畳みの係止と釈放を制御し、
該ディスプレイパネル載置機構は液晶ディスプレイパネルを取り付ける板体を主体とし、
該下折式調整装置は該ディスプレイパネル載置機構内に設けられ、並びに該伸縮シートに接続され、下折案内装置を具え、該下折案内装置が該ディスプレイパネル載置機構の下向きの折り畳みを案内し、
下向きに液晶ディスプレイが折り畳まれてケース内に収容されることを特徴とする、機械式開閉液晶ディスプレイ。
【請求項２】
請求項１記載の機械式開閉液晶ディスプレイにおいて、下折案内装置が二つのダンパ、一つのスライド板、及び仰角押し片を具え、該仰角押し片の上下両端に軸体が突出し、それぞれ伸縮シートの連接シートとスライド板の係止溝に接続されることを特徴とする、機械式開閉液晶ディスプレイ。
【請求項３】
請求項１記載の機械式開閉液晶ディスプレイにおいて、下折式調整装置が更に角度調整装置を具え、該角度調整装置はディスプレイパネル載置機構の回転の仰角を調整及び記憶するのに供され、それは位置決めブロック、位置決め押しボタン及び位置決め片を具えたことを特徴とする、機械式開閉液晶ディスプレイ。
【請求項４】
請求項１記載の機械式開閉液晶ディスプレイにおいて、係止機構が隔板、第１枢軸及び第２枢軸を具えたことを特徴とする、機械式開閉液晶ディスプレイ。
【請求項５】
請求項１記載の機械式開閉液晶ディスプレイにおいて、第１、第２案内機構が高さ維持片を具え、該高さ維持片の前端に板バネが設けられたことを特徴とする、機械式開閉液晶ディスプレイ。
【考案の詳細な説明】
【技術分野】
【０００１】
本考案は一種の機械式開閉液晶ディスプレイに係り、特に、ディスプレイパネルの全自動の快速な開放機能と内蔵式収納機能を提供する機械式液晶ディスプレイであり、ディスプレイパネルがケースより高く突出する液晶ディスプレイに適用され、下向きに折り畳んでディスプレイパネルを内蔵式に収容でき、並びに使用者の必要に応じてディスプレイパネルの角度を調整及び記憶できる機械式開閉液晶ディスプレイに関する。
【背景技術】
【０００２】
科学技術と経済の高度な発展に伴い、人々のレジャーや娯楽及び情報に対する要求はますます重視されるようになり、自動車内のオーディオビデオ娯楽、携帯情報等のテレマティックス（ＴＥＬＥＭＡＴＩＣＳ）製品が生れ、液晶ディスプレイはそのうちでも不可欠のアクセサリの一つとなっている。現在、市場にある自動車用液晶ディスプレイはそのディスプレイパネルの折り畳み動作方式により、全自動、半自動、及び手動の三種類に分けられる。そのうち全自動のものは、精密な電子装置を利用した電力制御方式によりディスプレイのディスプレイパネルを一度弾いて開き、更に回転させて定位となす。しかしその価格は非常に高い。半自動、手動のものは、手動回転により該ディスプレイのディスプレイパネルを調整しなければならないが、その価格は安い。しかし使用上、あまり便利ではない。このため、周知のディスプレイは価格が高過ぎるか、或いは価格が高過ぎない場合は操作に不便であるという欠点を有している。
【０００３】
このほか、上述の折り畳み式ディスプレイパネルの液晶ディスプレイは、折り畳み時に該ディスプレイパネルの折り畳みを案内するため、通常、ディスプレイパネルの設置の位置がケースの下方とされ、このため車内で乗客が観賞しやすいようにするため、液晶ディスプレイの放置位置は車内の高い位置とせざるを得ない。しかしこのため取付上の制限が生じ、これが周知のディスプレイの設計上、早急な解決を要する問題となっている。
【考案の開示】
【考案が解決しようとする課題】
【０００４】
本考案は上述の周知の技術の欠点を鑑み、一種の機械式自動液晶ディスプレイを提供する。それは、ケース内に伸縮シートが設けられ、その一側に係止機構が設けられ、且つ伸縮シートの前側にディスプレイパネル載置機構が枢設され、ディスプレイパネル載置機構内に下折式調整装置が収容され、並びに伸縮シートの前側に接続され、機械式作動により、高価は電子回路による制御によらず、ディスプレイパネルの全自動の快速な開放機能と内蔵式収納機能を提供し、並びに使用者の必要に応じてディスプレイパネルの角度を調整及び記憶できる機能を提供するものとする。
【課題を解決するための手段】
【０００５】
請求項１の考案は、ケース、伸縮シート、ディスプレイパネル載置機構、下折式調整装置で組成され、
該ケースは、中空で窓を具えたケースとされ、その両側に相互に対応する第１案内機構と第２案内機構が設けられて伸縮シートの内縮と伸出動作を限位し、
該伸縮シートは、前側が該ディスプレイパネル載置機構に枢設されて該ケースの第１、第２案内機構に組付けられ、
該係止機構は、伸縮シートの一側に設けられ、該ディスプレイパネル載置機構の折り畳みの係止と釈放を制御し、
該ディスプレイパネル載置機構は液晶ディスプレイパネルを取り付ける板体を主体とし、
該下折式調整装置は該ディスプレイパネル載置機構内に設けられ、並びに該伸縮シートに接続され、下折案内装置を具え、該下折案内装置が該ディスプレイパネル載置機構の下向きの折り畳みを案内し、
下向きに液晶ディスプレイが折り畳まれてケース内に収容されることを特徴とする、機械式開閉液晶ディスプレイとしている。
請求項２の考案は、請求項１記載の機械式開閉液晶ディスプレイにおいて、下折案内装置が二つのダンパ、一つのスライド板、及び仰角押し片を具え、該仰角押し片の上下両端に軸体が突出し、それぞれ伸縮シートの連接シートとスライド板の係止溝に接続されることを特徴とする、機械式開閉液晶ディスプレイとしている。
請求項３の考案は、請求項１記載の機械式開閉液晶ディスプレイにおいて、下折式調整装置が更に角度調整装置を具え、該角度調整装置はディスプレイパネル載置機構の回転の仰角を調整及び記憶するのに供され、それは位置決めブロック、位置決め押しボタン及び位置決め片を具えたことを特徴とする、機械式開閉液晶ディスプレイとしている。
請求項４の考案は、請求項１記載の機械式開閉液晶ディスプレイにおいて、係止機構が隔板、第１枢軸及び第２枢軸を具えたことを特徴とする、機械式開閉液晶ディスプレイとしている。
請求項５の考案は、請求項１記載の機械式開閉液晶ディスプレイにおいて、第１、第２案内機構が高さ維持片を具え、該高さ維持片の前端に板バネが設けられたことを特徴とする、機械式開閉液晶ディスプレイとしている。
【考案の効果】
【０００６】
本考案は機械作動方式を利用し、故障が少なく、且つ高価な電子回路による制御に依存せず、ディスプレイパネルの全自動の急速展開或いは収納を達成でき、更に使用者の必要に応じてディスプレイパネルの角度を調整及び記憶できる。
【考案を実施するための最良の形態】
【０００７】
本考案は一種の機械式開閉液晶ディスプレイを提供し、それは、ケース内に伸縮シートが設けられ、その一側に係止機構が設けられ、且つ伸縮シートの前側にディスプレイパネル載置機構が枢設され、ディスプレイパネル載置機構内に下折式調整装置が収容され、並びに伸縮シートの前側に接続され、機械式作動により、高価は電子回路による制御によらず、ディスプレイパネルの全自動の快速な開放機能と内蔵式収納機能を提供し、並びに使用者の必要に応じてディスプレイパネルの角度を調整及び記憶できる機能を提供する。
【０００８】
本考案はまた一種の機械式開閉液晶ディスプレイを提供し、そのケース内には空間が設けられ、且つディスプレイパネル載置機構とその関係部品を突出させる窓を具えた面板が前方に設けられて、ケース内の両側に相互に対応する第１案内機構と第２案内機構が設けられて伸縮シートを案内して内縮と伸出のスライド動作を限位し、そのうち第１案内機構に高さ維持片とスライドブロックが嵌合されたガイドロッドが設けられ、第２案内機構に高さ維持片とラックが設けられている。
【０００９】
本考案はまた一種の機械式開閉液晶ディスプレイを提供し、その伸縮シートの後部の一側はケース内に取付られ、第１、第２案内機構の上方に位置し、並びにケースの面板の窓よりケース外に突出し、該伸縮シートの後部の一側が第１案内機構のガイドロッドに組み合わされたスライドブロックに螺子止めされ、その別側は第２案内機構のラックのスライドウエーに嵌合され、且つラックに組み合わされるダンパが設けられ、該伸縮シートの後部両側後端に押し片が設けられ、該ケースの第１、第２案内機構の高さ維持片の前端の板バネを押圧可能で、別に伸縮シートの前端両側にそれぞれ左、右枢軸シートが螺子止めされ、ディスプレイパネル載置機構の左、右枢軸シートに対応し枢設され、また伸縮シートの左、右伸縮シート間に連接シーートが設けられて仰角押し片が枢設されている。
【００１０】
本考案の提供する機械式開閉液晶ディスプレイは、係止機構が伸縮シートの一側に設けられて該ディスプレイパネル載置機構の折り畳み状態の係止と釈放を制御するのに用いられ、それは、隔板、第１枢軸、第２枢軸、ねじりバネを具え、
該隔板は伸縮シートの上方に設けられ、その一側にねじりバネ収容エリアと切欠きが設けられ、該切欠きの両端に二つの軸孔座が凸設され、
該第１枢軸は、中空の軸体とされてピンの挿入に供され、その一側に斜面を具えたフックが設けられ、別側に外向きにブロック体が凸設され、且つ該ブロック体の後方に凹溝が設けられ、
該第２枢軸は、中空の軸体とされ、ピンの挿入に供され、その一側に凸塊が設けられ、それは第１枢軸のブロック体後方の凹溝に対応し、別側に外向きにＬ形ロッドが凸設され、該Ｌ形ロッドの別側に斜め押しブロックが設けられて面板の斜め押し溝に対応し、
該ねじりバネは、その一端が右枢軸のＬ形ロッドに当接し、別端は該隔板のねじりバネ収容エリアに当接し、該ねじりバネは常態で第２枢軸及び第１枢軸を隔板よりの一側に向けて押圧する。
【００１１】
本考案はまた一種の機械式開閉液晶ディスプレイを提供し、そのうち該ディスプレイパネル載置機構は、液晶ディスプレイパネル取付に供される板体を主体とし、該板体の下端に係止機構に対応する凹溝が設けられ、且つ該凹溝の一側に切欠きが設けられ、また該板体の背面の中段両側に左、右枢軸シートが設けられ、該伸縮シートの左、右枢軸シートに対応し、並びにピンで枢設されて回転軸を形成し、このほか、ディスプレイパネル載置機構の背面に下折式調整装置収容エリアが設けられている。
【００１２】
本考案はまた一種の機械式開閉液晶ディスプレイを提供し、そのうち、下折式調整装置がディスプレイパネル載置機構内に設けられ、並びに伸縮シートに接続され、該下折式調整装置は下折案内装置と角度調整装置で組成され、そのうち、該下折案内装置は、ディスプレイパネル載置機構の下向きの折り畳みを案内し、それは、二つのダンパと、一つのスライド板、仰角押し片を具え、
該二つのダンパはそれぞれディスプレイパネル載置機構の背面のスライドブロック収容溝の外側に設けられ、
該スライド板は、両側にダンパに対応するラックが設けられ、また底部両側に係止溝が設けられて仰角押し片が枢設され、また該スライド板の中央に縦向き長溝が設けられ、その両側の上方にそれぞれ柱体が設けられてバネの一端が固定され、
該仰角押し片は、両端よりそれぞれ軸体が突出し、伸縮シートとスライド板に接続される。
該角度調整装置は、該ディスプレイパネル載置機構の回転仰角を調整及び記憶するのに用いられ、それは、位置決めブロックと位置決め押しボタンを具え、
該位置決めブロックは、その正面底部に凸柱が設けられ、バネ収容溝内のバネを押圧し、背面に位置決めラックが設けられ、
該位置決め押しボタンは、ディスプレイパネル載置機構の正面に設けられ、且つこの位置決め押しボタンの複数のロック柱がディスプレイパネル載置機構を貫通してディスプレイパネル載置機構の位置決め片と固定され、該位置決め片に位置決めブロックの位置決めラックに対応するラックが設けられている。
【実施例１】
【００１３】
図１、２、３、４、及び図１６に示されるように、本考案は、ケース１内に伸縮シート２が設けられ、その一側に係止機構３が設けられ、且つ伸縮シート２の前側にディスプレイパネル載置機構４が枢設され、ディスプレイパネル載置機構４内に下折式調整装置５が収容され、並びに伸縮シート２の前側に接続されている。
【００１４】
該ケース１内は中空空間とされ、且つ窓１１１を具えた面板１１が前方に設けられ、ディスプレイパネル載置機構４とその関係部品を突出させるのに供され、該面板１１の窓１１１の内面の一側に斜め押し溝１１２が設けられ、該ケース１内の両側に相互に対応する第１案内機構１２と第２案内機構１３が設けられて伸縮シート２を案内してケース１内での内縮と伸出のスライド動作を案内し、そのうち第１案内機構１２に高さ維持片１２１とスライドブロック１２２が嵌合されたガイドロッド１２３が設けられ、第２案内機構１３に高さ維持片１３１とラック１３２が設けられている。
【００１５】
該伸縮シート２は、ケース１の第１、第２案内機構１２、１３の高さ維持片１２１、１３１の上方に取付られ、並びに該面板１１の窓１１１よりケース１外に突出し、該伸縮シート２の後部の一側はケース１の第１案内機構１２のスライドブロック１２２に螺子止めされ、別側には第２案内機構１３のラック１３２に接続されたダンパ２１が設けられている。該伸縮シート２の後部の両側近くに押し片２２、２３が設けられ、該ケース１の第１、第２案内機構１２、１３の高さ維持片１２１、１３１の前端の板バネＡを押圧するのに用いられ、且つそのうち一つの押し片２３の内側に２ビットスイッチＢ１が設けられ、並びにケース１の後側にそれに対応する係止舌Ｂ２が設けられ、別に該伸縮シート２の前端両側に第１、第２枢軸シート２４、２５が螺子止めされ、また伸縮シート２の第１、第２枢軸シート２４、２５の間に連接シート２６が設けられている。
【００１６】
該係止機構３は、図３を対照されたいが、該伸縮シート２の一側に設けられ、該ディスプレイパネル載置機構４の折り畳み状態係止と釈放の制御に用いられる。それは、隔板３１、第１枢軸３２、第２枢軸３３、ねじりバネ３４を具えている。
【００１７】
該隔板３１は伸縮シート２の上方に設けられ、その一側にねじりバネ収容エリア３１１と切欠き３１２が設けられ、該切欠き３１２の両端に軸孔座３１３、３１４が凸設されている。
【００１８】
該第１枢軸３２は、中空の軸体とされてピンＣの挿入に供され、その一側に斜面を具えたフック３２１が設けられ、別側に外向きにブロック体３２２が凸設され、且つ該ブロック体３２２の後方に凹溝３２２１が設けられている。
【００１９】
該第２枢軸３３は、中空の軸体とされ、ピンＣの挿入に供され、その一側に凸塊３３１が設けられ、それは第１枢軸３２のブロック体３２２後方の凹溝３２２１に対応し、別側に外向きにＬ形ロッド３３２が凸設され、該Ｌ形ロッド３３２の別側に斜め押しブロック３３４が設けられて面板１１の斜め押し溝１１２に対応する。
【００２０】
該ねじりバネ３４は、その一端が右枢軸３３のＬ形ロッド３３２に当接し、別端は該隔板３１のねじりバネ収容エリア３１１に当接し、該ねじりバネ３４は常態で第２枢軸３３及び第１枢軸３２を隔板３１よりの一側に向けて押圧する。
【００２１】
該ディスプレイパネル載置機構４は、液晶ディスプレイパネル４０取付に供される板体４１を主体とし、該板体４１の下端に係止機構３のフック３２１に対応する凹溝４２が設けられ、且つ該凹溝４２の一側に切欠き４２１が設けられ、また該板体４１の背面の中段両側に第１、第２枢軸シート４５、４３が設けられ、該伸縮シート２の第１、第２枢軸シート２４、２５に対応し、並びにピンＣ１、Ｃ２で枢設されて回転軸を形成し、このほか、ディスプレイパネル載置機構４の背面に下折式調整装置収容エリア４４が設けられ、その両側にスライドブロック収容溝４４１、４４２があり、その中央に限位柱４４７、バネ収容溝４４３及び収容溝４４４が設けられ、且つ該収容溝４４４内に複数の穿孔４４５が設けられ、並びにカバー４４６で閉じられている。
【００２２】
該下折式調整装置５は、ディスプレイパネル載置機構４内に設けられ、並びに該伸縮シート２に接続され、それは下折案内装置５Ａと角度調整装置５Ｂで組成されている。
【００２３】
該下折案内装置５Ａはディスプレイパネル載置機構４の下向きの折り畳みを案内し、二つのダンパ５１、５２と、一つのスライド板５３、仰角押し片５８を具えている。
【００２４】
該二つのダンパ５１、５２はそれぞれディスプレイパネル載置機構４の背面のスライドブロック収容溝４４１、４４２の外側に設けられている。
【００２５】
該スライド板５３は、両側にダンパ５１、５２に対応するラック５３１’、５３１”が設けられ、また底部両側に係止溝５３２’、５３２”が設けられ、また該スライド板５３の中央に縦向き長溝５３４が設けられ、その両側上方に柱体５３３’、５３３”が設けられ、バネＤ１、Ｄ２の一端の固定に供され、該バネＤ１、Ｄ２の別端はディスプレイパネル載置機構４の背面上部の凸柱４４８に固定されている。
【００２６】
該仰角押し片５８は、その上下両端側に軸体５８１が凸設されてそれぞれ伸縮シート２の連接シート２６及びスライド板５３の係止溝５３２’、５３２”に嵌合されている。
【００２７】
該角度調整装置５Ｂは、該ディスプレイパネル載置機構４の回転仰角を調整及び記憶するのに用いられ、それは、位置決めブロック５５と位置決め押しボタン５６を具えている。
【００２８】
該位置決めブロック５５は、その正面底部に凸柱５５１が設けられ、バネ収容溝４４３内のバネＥを押圧し、背面に位置決めラック５５２及び二つの長條状切欠き５５３が設けられ、下端に斜め押し体５５４が設けられている。
【００２９】
該位置決め押しボタン５６は、ディスプレイパネル載置機構４の正面に設けられ、且つこの位置決め押しボタン５６の複数のロック柱５６１がディスプレイパネル載置機構４の穿孔４４５を貫通してディスプレイパネル載置機構４背面の位置決め片５７と固定され、並びにバネＦに常態で押圧を受け、且つ該位置決め片５７に位置決めブロック５５の位置決めラック５５２に対応するラック５７１が設けられている。
【００３０】
上述の部品により組成され（図５から図１２を参照されたい）、使用者が液晶ディスプレイパネル４０を収納したい時は、ただディスプレイパネル載置機構４の板体４１を後ろに押し、後側から液晶ディスプレイ４０の方向に押圧してそれを水平位置に回転させれば、ディスプレイパネル載置機構４の押圧によりその第１、第２枢軸３２、３３のピンＣ１、Ｃ２を中心として、下折式調整装置５の下折案内装置５Ａの仰角押し片５８が牽引を受けてディスプレイパネル４０の板体４１を水平位置とし、その板体４１上の凹溝４２側端が係止機構３の第１枢軸３２の斜面３２１を押圧し、強制的にそれを後ろに回転後退させ、凹溝４２がフック３２１の斜面を通過した後、その第１枢軸３２がねじりバネ３４の弾性回復力を受けて、フック３２１をディスプレイパネル載置機構４の凹溝４２に係合させ（この時第２枢軸のＬ形ロッド３３２は垂直状を呈し、これについては後述する）、ディスプレイパネル載置機構４が復位せず、こうして使用者が更にディスプレイパネル載置機構４を続けてケース１に向けて押し込めば、伸縮シート２の押し片２２、２３がケース１両側の板バネＡを伸展させ、伸縮シート２がケース１の後側まで押されると、その２ビットスイッチＢ１と係止舌Ｂ２が係合し、伸縮シート２の突出を阻止し、こうしてディスプレイパネル載置機構４の収納内蔵を完成する。もし使用者が再度ディスプレイパネル載置機構４を使用したい時は、直接内向きにディスプレイパネル載置機構４を押して、２ビットスイッチＢ１と係止舌Ｂ２を分離させれば、板バネＡの弾力により伸縮シート２の押し片２２、２３を押し、伸縮シート２がケース１外に突出する。この時、伸縮シート２はダンパ２１とケース１の第２案内機構１３のラック１３２の噛み合いによる減速作用を受け、ゆっくりと突出し伸縮シート２の突出速度が過度に速くなることが防止される。伸縮シート２が完全にケース１より突出する時、該係止機構３の第２枢軸３３の斜め押しブロック３３４が面板１１の斜め押し溝１１２の斜面の案内を受けて強制的に第１、第２枢軸３２、３３にねじりバネ３４を圧縮させ、また第１枢軸３２のフック３２１をそれが係合していたディスプレイパネル載置機構４の凹溝４２部分より別側の切欠き４２１に向けて移動させ、これによりディスプレイパネル載置機構４が第１枢軸３２のフック３２１による束縛より開放され、伸縮シート２が完全にケース１より突出した状態で位置決めされる。こうして、係止機構３の隔板３１がねじりバネ３４の回復弾力を受けて前方に突出し、ディスプレイパネル載置機構４が垂直に起き上がり、これにより使用者はディスプレイパネル４０を観ることができる。
【００３１】
本考案のディスプレイパネルの観賞角度の位置決めは、図１３から図１５に示されるように、ディスプレイパネル載置機構４の下折式調整装置５の角度調整装置５Ｂの調整により達成され、平時に二つのバネＤ１、Ｄ２は該スライド板５３を引っ張りディスプレイパネル載置機構４の液晶ディスプレイパネル４０を状態で直立した状態となし、位置決め押しボタン５６と位置決めブロック５５の位置決めラック５５２とラック５７１の高さ調整が組み合わされて、スライド板５３及び仰角押し片５８の角度が改変され、こうして使用者は位置決め押しボタン５６を押して更にディスプレイパネル４０を自分の必要な角度に押動させ、更に位置決め押しボタン５６を開放すれば調整を完成でき、並びに調整後に次に収納させる時は、この角度で折り曲げれば、角度記憶の機能を有する。
【図面の簡単な説明】
【００３２】
【図１】本考案の立体図（一）である。
【図２】本考案の立体図（二）である。
【図３】本考案の係止機構の分解図である。
【図４】本考案の下折式調整装置の分解図である。
【図５】本考案の操作断面図（一）である。
【図６】本考案の操作断面図（二）である。
【図７】本考案の操作断面図（三）である。
【図８】本考案の係止機構の動作断面図である。
【図９】図８のＩ−Ｉ断面図である。
【図１０】図８のＩＩ−ＩＩ断面図である。
【図１１】本考案の係止機構の作動断面図（一）である。
【図１２】本考案の係止機構の作動断面図（二）である。
【図１３】本考案の下折式調整装置の作動断面図（一）である。
【図１４】本考案の下折式調整装置の作動断面図（二）である。
【図１５】本考案の下折式調整装置の作動断面図（三）である。
【図１６】本考案の液晶ディスプレイパネルの局部立体図である。
【符号の説明】
【００３３】
１  ケース                    １１  面板
１１１  窓                    １１２  斜め押し溝
１２  第１案内機構            １３  第２案内機構
１２１、１３１  高さ維持片    １２２  スライドブロック
１３２  ラッック              １２３  ガイドロッド
２  伸縮シート                ２１  ダンパ
２２、２３  押し片
２４、２５  第１、第２枢軸シート
２６  連接シート
３  係止機構                  ３１  隔板
３１１  ねじりバネ収容エリア  ３１２  切欠き
３１３、３１４  軸孔シート
３２  第１枢軸                ３２１  フック
３２２  ブロック体            ３２２１  凹溝
３３  右枢軸                  ３３１  凸塊
３３２  Ｌ形ロッド            ３３４  斜め押しブロック
３４  ねじりバネ
４  ディスプレイパネル載置機構
４０  ディスプレイパネル      ４１  板体
４２  凹溝                    ４２１  切欠き
４３、４５  第１、第２枢軸シート
４４  仰角位置決め機構収容エリア
４４１、４４２  スライドブロック収容溝
４４３  バネ収容溝            ４４４  収容溝
４４５  穿孔                  ４４６  カバー
４４７  限位柱                ４４８  凸柱
５  下折式調整装置            Ａ  板バネ
５Ａ  下折案内装置            ５Ｂ  角度調整装置
５１、５２  ダンパ
５３  スライド板
５３１’、５３１”  ラック
５３２’、５３２”  係止溝
５３３’、５３３”  柱体
５３４  縦向き長溝
５５  位置決めブロック        ５５１  凸柱
５５２  位置決めラック        ５５３  長條状切欠き
５５４  斜め押し体
５６  位置決め押しボタン      ５６１  ロック柱
５７１  ラック
５８  仰角押し片              ５８１  軸体
Ｂ１  ２ビットスイッチ        Ｂ２  係止舌
Ｃ  ピン
Ｃ１、Ｃ２  ピン
Ｄ１、Ｄ２  バネ              Ｅ、Ｆ  バネ
【図１】
0003105718.tif 000003
【図２】
0003105718.tif 000004
【図３】
0003105718.tif 000005
【図４】
0003105718.tif 000006
【図５】
0003105718.tif 000007
【図６】
0003105718.tif 000008
【図７】
0003105718.tif 000009
【図８】
0003105718.tif 000010
【図９】
0003105718.tif 000011
【図１０】
0003105718.tif 000012
【図１１】
0003105718.tif 000013
【図１２】
0003105718.tif 000014
【図１３】
0003105718.tif 000015
【図１４】
0003105718.tif 000016
【図１５】
0003105718.tif 000017
【図１６】
0003105718.tif 000018